(57)【要約】【課題】ライブビューカメラにおいて、撮影完了後にライブビューを開始するまでの時間や次のＡＦ動作を開始するまでの時間が長く、このタイムラグの短縮を求められている。【解決手段】被写体を撮像する撮像装置が、光電変換により被写体を撮像する撮像素子と、撮像素子の出力信号から被写体を測光する測光手段と、撮影画像をリアルタイムに表示するライブビュー表示手段と、撮影後に撮像素子からの撮影データを読み出す読み出し手段と、レンズの絞り羽を開放状態にする開放絞り手段と、レンズの絞り羽をライブビュー用の絞りにするＬＶ絞り手段と、シャッターボタンの半押しと開放を判定するボタン判定手段と、を有する。読み出し処理中において、ボタン判定手段により半押し／開放状態を判定し、その結果をもとに読み出し中に行うレンズの絞り制御および読み出し後のライブビュー表示用の撮像駆動を切り替える。【選択図】図３
2018033061.tif 000002
【特許請求の範囲】
【請求項１】
被写体を撮像する撮像装置であって、
光電変換により被写体を撮像する撮像素子と、
前記撮像素子の出力信号から被写体を測光する測光手段と、
撮影画像をリアルタイムに表示するライブビュー表示手段と、
撮影後に撮像素子からの撮影データを読み出す読み出し手段と、
レンズの絞り羽を開放状態にする開放絞り手段と、
レンズの絞り羽をライブビュー用の絞りにするＬＶ絞り手段と、
シャッターボタンの半押しと開放を判定するボタン判定手段と、
を有し、
前記読み出し処理中において、前記ボタン判定手段により半押し／開放状態を判定し、その結果をもとに前記読み出し中に行うレンズの絞り制御を切り替えることを特徴とする撮像装置。
【請求項２】
単写動作の終了後において、シャッターボタンが開放状態であると判定した場合は、前記読み出し中において撮影直前の測光値をもとに露出演算し前記ＬＶ絞り手段により絞ることを特徴とする請求項１に記載の撮像装置。
【請求項３】
単写動作の終了後において、シャッターボタンが半押し状態であると判定した場合は、前記読み出し中において前記開放絞り手段により絞りを開放することを特徴とする請求項１または２に記載の撮像装置。
【請求項４】
単写動作の終了後において、前記読み出し処理完了のタイミングでライブビュー表示を開始することを特徴とする請求項１ないし３のいずれか１項に記載の撮像装置。
【請求項５】
連写動作を行う連写手段を有し、
連写動作の終了時には、前記開放絞り手段によりレンズの絞りを開放して前記測光手段により測光を行ったのち、前記ボタン判定手段により半押し／開放状態を判定し、その結果をもとにレンズの絞り制御を切り替えることを特徴とする請求項１に記載の撮像装置。
【請求項６】
連写動作の終了後において、シャッターボタンが開放状態であると判定した場合は、最新の測光値をもとに露出演算し前記ＬＶ絞り手段により絞ることを特徴とする請求項５に記載の撮像装置。
【請求項７】
連写動作の終了後において、シャッターボタンが半押し状態であると判定した場合は、前記開放絞り手段により絞りを開放することを特徴とする請求項５または６に記載の撮像装置。
【請求項８】
連写動作の終了後において、測光処理を行ったのちにライブビュー表示を開始することを特徴とする請求項５ないし７のいずれか１項に記載の撮像装置。
【請求項９】
被写体を撮像する撮像装置であって、
光電変換により被写体を撮像する撮像素子と、
前記撮像素子の出力信号から被写体を測光する測光手段と、
第一の動作モードで撮像素子を駆動させる第一のライブビュー表示手段と、
第二の動作モードで撮像素子を駆動させる第二のライブビュー表示手段と、
撮影後に撮像素子からの撮影データを読み出す読み出し手段と、
レンズの絞り羽を開放状態にする開放絞り手段と、
レンズの絞り羽をライブビュー用の絞りにするＬＶ絞り手段と、
シャッターボタンの半押しと開放を判定するボタン判定手段と、
を有し、
前記読み出し処理中の、前記ボタン判定手段による判定結果に応じて、前記読み出し完了後のライブ表示手段に用いる撮像素子の動作モードを切り替えることを特徴とする撮像装置。
【請求項１０】
測距手段を有し、
シャッターボタンの半押しにより、前記第一のライブビュー表示モードでライブビュー表示を行うとともに、前記測距手段による測距動作を行う撮影準備指示手段を有し、前記読み出し処理中において、前記ボタン判定手段により、前記読み出し処理中に再度半押し操作がなされたと判定した場合には、前記読み出し処理完了後に第一のライブビュー表示モードでライブビュー表示を行い、
前記ボタン判定手段により、前記読み出し処理中に半押し操作がなされず、解放状態である場合には、前記第二のライブビュー表示モードでライブビュー表示を行うことを特徴とする請求項９に記載の撮像装置。
【発明の詳細な説明】
【技術分野】
【０００１】
本発明は、撮像装置に関する。
【背景技術】
【０００２】
レンズ交換式で光学ファインダーを搭載しないミラーレスタイプのデジタルカメラは、背面液晶画面を搭載し、背面液晶画面ではライブビュー表示を行っている。ユーザはライブビュー表示を見ながら、被写体の確認や画角の調整、フォーカス動作などの撮影操作を行っている。
【０００３】
また、撮影待機状態においては、ライブビュー表示する画像を常に適切な露出で表示するために、周期的に測光しながらレンズから入光する光量を調整するためレンズの絞り羽を制御している。また、フォーカス動作においては、レンズの絞り羽が開放状態で行われることが望ましい。また、レンズの絞り羽の制御は、撮像装置とレンズ装置で通信して実現しており、絞り羽の絞り動作を完了するまでには任意の処理時間が必要となっている。
【０００４】
このため、ライブビュー表示やフォーカス動作の応答性を改善するには、レンズ絞りの処理を最適化することが必要となっている。特に、撮影時に一旦停止するライブビュー表示を撮影完了後に表示までのタイムラグの改善には、レンズ絞り処理の最適化が必要である。
【０００５】
このような状況において、例えば特許文献１で提案されているように、連写動作中のレンズ絞り処理の回数を少なくすることで次の撮影までに係る時間を短縮する、といったものがある。
【０００６】
また、ライブビュー表示カメラにおいて、撮像装置全体における消費電力のうち、撮像部の消費電力が占める割合が大きく、特に撮影待機状態の消費電力を下げることが、撮像装置の撮影可能枚数を向上させるためには非常に重要な検討課題となっている。そのため、撮影待機状態においては、消費電力の低い撮像駆動を用い、撮影操作がなされた後にAF動作用にフレームレートの高い撮像駆動に切り替えたり、解像度の高い撮像駆動に切り替えることで、撮像装置の消費電力を低く抑えることが一般的であり、特許文献２が提案されている。
【先行技術文献】
【特許文献】
【０００７】
【特許文献１】特開２０１０−２６２１７３号公報
【特許文献２】特開２００１−２９６４７０号公報
【発明の概要】
【発明が解決しようとする課題】
【０００８】
光学ファインダーを持たないデジタルカメラにおいて、ライブビュー表示の応答性がユーザの操作性に大きく影響する。また、適切な露出となるライブビュー表示の画像を出力するには、出来る限り直近で測光した値を使用する必要がある。また、ＡＦ動作の精度を上げるために、レンズ絞りを開放することが必要である。
【０００９】
しかしながら、測光処理時間や絞り処理時間はある程度の時間がかかり、操作性を低下させる要因となっている。
【００１０】
また、待機状態とAF動作時の撮像駆動が異なることで、静止画撮影動作を繰り返した場合に、無駄な撮像駆動切り替えが発生し、これもまた操作性を低下させる要因となっている。
【００１１】
本発明が解決しようとする課題は、撮影終了後のライブビュー表示を開始するまでのタイムラグと次の撮影に向けたフォーカス動作を開始するまでのタイムラグを短縮することである。
【課題を解決するための手段】
【００１２】
上記目的を達成するために、本出願に係る撮像装置は、被写体を撮像する撮像装置であって、光電変換により被写体を撮像する撮像素子と、前記撮像素子の出力信号から被写体を測光する測光手段と、撮影画像をリアルタイムに表示するライブビュー表示手段と、撮影後に撮像素子からの撮影データを読み出す読み出し手段と、レンズの絞り羽を開放状態にする開放絞り手段と、レンズの絞り羽をライブビュー用の絞りにするＬＶ絞り手段と、シャッターボタンの半押しと開放を判定するボタン判定手段とを有し、前記読み出し処理中において、前記ボタン判定手段により半押し／開放状態を判定し、その結果をもとに前記読み出し中に行うレンズの絞り制御を切り替えることを特徴とする。
【発明の効果】
【００１３】
本発明によれば、光学ファインダーを持たないデジタルカメラにおいて、撮影後のライブビュー表示開始までのタイムラグを短縮して、操作性の向上ができる。さらに、撮影後のＡＦ動作開始までのタイムラグを短縮して、操作性の向上ができる。
【図面の簡単な説明】
【００１４】
【図１】本発明の実施の形態に係る撮像装置の制御システムの外観図である。
【図２】本発明の実施の形態に係る撮像装置の制御システムのブロック図である。
【図３】第１の実施の形態の手順を示すフローチャートである。
【図４】第２の実施の形態の手順を示すフローチャートである。
【図５】先行技術の形態に係る説明図である。
【図６】第１の実施の形態に係る説明図である。
【発明を実施するための形態】
【００１５】
以下、図面を参照して本発明の好適な実施形態を説明する。
【００１６】
（第１の実施形態）
図１に本実施形態の撮像装置の一例としてのデジタルカメラの外観図を示す。表示部２８は画像や各種情報を表示する表示部である。シャッターボタン６１は撮影指示を行うための操作部である。モードダイアル６０は各種モードを切り替えるための操作部である。コネクタ１１２は接続ケーブル１１１とデジタルカメラ１００とのコネクタである。操作部７０はユーザからの各種操作を受け付ける各種スイッチ、ボタン、タッチパネル等の操作部材より成る操作部である。
【００１７】
コントローラホイール７３は操作部７０に含まれる回転操作可能な操作部材である。７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。１１３はストロボ装置である。４００はレンズ装置である。
【００１８】
図２は、本実施形態によるデジタルカメラ１００の構成例を示すブロック図である。図２において、シャッター１０１は撮像素子への露光制御を行っている。撮像部２２は光学像を電気信号に変換するＣＣＤやＣＭＯＳ素子等で構成される撮像素子であり、ライブビューや測距動作用のフレームレートの異なる複数の撮像駆動と、静止画撮像用の撮像駆動を有する。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１９】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２０】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２１】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００２２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２４】
システムタイマー５３は各種制御に用いる時間や、内蔵された時計の時間を計測する計時部である。
【００２５】
モード切替スイッチ６０、第１シャッタースイッチ６２、第２シャッタースイッチ６４、操作部７０はシステム制御部５０に各種の動作指示を入力するための操作手段である。
モード切替スイッチ６０は、システム制御部５０の動作モードを静止画記録モード、動画記録モード、再生モード等のいずれかに切り替える。
【００２６】
静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。
【００２７】
同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２８】
第２シャッタースイッチ６２は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２９】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３０】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。
【００３１】
なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００３２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３４】
ストロボ装置３００は、デジタルカメラ１００に着脱可能に装着されるストロボである。ストロボ制御部３０１は、例えばＣＰＵであり、カメラ制御部５０からI/F３３を介して入力される指示によって、ストロボ３００の各ブロックの動作を制御する。具体的には、ストロボシステム制御部３０１は、発光量の制御や発光時間、発光照射角の制御等を行う。発光部３０４は、ストロボシステム制御部３０１が指示した電圧でストロボを発光する。
【００３５】
レンズ装置４００は、着脱可能なレンズユニットであり、ズームレンズ、フォーカスレンズ、防振レンズ、絞り羽を含むレンズ群である。レンズ制御部４０１は、例えばＣＰＵであり、カメラ制御部５０からI/F３４を介して入力される指示によって、レンズの各ブロックを制御する。具体的には、レンズ制御部４０１は、ズームレンズの制御、フォーカスレンズの制御、防振レンズの制御、絞り羽の制御を行う。
【００３６】
センサー部９０の各種センサー部品は、撮像装置の内部や外部の物理量を検出して信号に変える装置である。例えば、温度センサー、姿勢センサー、加速度センサー、接眼センサーなどがある。例えば温度センサーは、システム制御部５０から要求を受信すると、現在の温度データをシステム制御５０へ送信する。
【００３７】
（動作）
以下、本実施形態の動作を説明する。本実施形態では、単写の撮影において、撮影後のレリーズボタンの押下状態を判定して、ライブビュー表示するときと測距動作するときとでレンズの絞り羽の制御方法を切り替える例を述べる。
【００３８】
図３は、本実施形態における撮影後の撮影待機状態へ戻る時のレンズの絞り制御をする処理のフローチャートである。このフローチャートにおける各処理は、システム制御部５０が不揮発性メモリ５６に格納されたプログラムをシステムメモリ５２に展開して実行することにより実現される。
【００３９】
システム制御部５０はステップＳ１０１において、待機状態でのライブビュー表示を行うために、撮像部２２を起動して低速間引き読み出しでの撮像駆動を開始した後、所定の周期で測光値を取得する。システム制御部５０は画像制御部２４に対して測光値を要求する。画像制御部２４は撮像部２２にレンズ４０２を介して入光する光量により所定の演算処理を行い測光値Bvを取得しシステム制御部５０へ測光値を送信する。処理をステップＳ１０３へ移行する。
【００４０】
ステップＳ１０３では、適正な露出のライブビュー表示を行うためにレンズの絞り制御を行う。システム制御部５０は、ステップＳ１０２で取得した測光値ＢｖによりＬＶ露出が適正になるようにレンズ絞り量Ｆを算出する。システム制御部５０は、前記算出したレンズの絞り量Ｆとなるようにレンズ用システム制御部４０１と通信を行い絞り羽の絞り制御を行う。絞り制御が完了すると、システム制御部５０はライブビュー表示を開始するステップＳ１０４へ移行する。
【００４１】
ここで、レンズの絞り量Ｆについて述べる。撮像素子２２を用いて測光をおこなうデジタルカメラ１００は、撮影待機状態であるライブビュー表示中において、外光の明るさに応じてレンズ４０２の絞り羽を開閉して光量を調節する。つまり、外光が明るい場合にはレンズの絞り羽を閉じるように制御する（この時の絞り量Ｆ値は大きい）。逆に外光が暗い場合にはレンズの絞り羽を開くように制御する（この時の絞り量Ｆ値は小さい）。
【００４２】
システム制御部は、Ｓ１０４にて低速間引き読み出しでのライブビュー表示を開始した後、Ｓ１０５，１０６にて、継続的に測光処理及び、測光結果に応じたライブビュー用絞り制御をおこなう。
【００４３】
ステップＳ１０７では、レリーズスイッチ操作による撮影開始要求の有無を判定する。システム制御部５０は、第２シャッタースイッチ６４の信号検出いわゆるレリーズスイッチの半押し検出を行う。
【００４４】
レリーズスイッチの半押しを検出すると、システム制御部５０は、撮影前のＡＦ動作を高速に行うため、Ｓ１０１で開始した撮像駆動よりも高フレームレートでの読み出しが可能な高速間引き読み出し駆動でのライブビュー表示に切り替える（Ｓ１０８）と同時に、ＡＦ用に絞りを開放する（Ｓ１０９）。測距を行う場合には、絞りを開放にし、被写界深度が浅くなる条件で行うことが一般的である。
【００４５】
ステップＳ１１０においてシステム制御部５０は、画像処理部２４に対して、測距用の画像データを要求して主被写体との距離を算出し、レンズ用システム制御部４０１に対して、前記距離に基づいてフォーカスレンズの駆動を要求するＡＦ動作を行う。
【００４６】
ＡＦが完了すると、システム制御部５０は、ステップＳ１１１において再度ライブビュー表示用に絞り羽を制御する。
【００４７】
ステップＳ１１２では、システム制御部５０は、第２シャッタースイッチ６４の信号検出いわゆるレリーズスイッチの全押し検出を行う。
【００４８】
レリーズスイッチの全押しを検出すると、システム制御部５０は、撮影用の絞り羽の絞り制御を行う。ステップＳ１０５で取得した最新の測光値により露出演算を行い、撮影時の絞り値Ｆを決定する。システム制御部５０は、前記撮影時の絞り値Ｆをレンズ用システム制御部４０１に送信して、レンズの絞り羽が前記絞り値Ｆとなるように制御する。処理をステップＳ１１４へ移行する。
【００４９】
ステップＳ１１４では、システム制御部５０は、ステップＳ１０５で算出した露出値により決定されたシャッター秒時Ｔｖに応じて電子先幕シャッターと後幕シャッターを走行させる。またシステム制御部５０は、前記露出値から決定されたＩＳＯ感度で撮像部２２が動作するように制御する。処理をステップＳ１１５へ移行する。
【００５０】
ステップＳ１１５では、システム制御部５０は、ステップＳ１１３で絞った絞り羽を最小絞り値になるように開くため、レンズ用システム制御部４０１と通信を行い絞り制御を行う。処理をステップＳ１１６へ移行する。
【００５１】
ステップＳ１１６では、レリーズスイッチの押下状態を判定する。システム制御部５０は、第１シャッタースイッチ６４の信号検出いわゆるレリーズスイッチの半押し検出を行う。レリーズスイッチの半押しを検出すると、処理をステップＳ１２１へ移行する。レリーズスイッチの半押しが検出されなかった場合は、処理をステップＳ１１７へ移行する。
【００５２】
ステップＳ１１７では、適正な露出のライブビュー表示を行うためにレンズの絞り制御を行う。ステップＳ１０６と同様に、システム制御部５０は、ステップＳ１０５で取得した最新の測光値ＢｖによりＬＶ露出が適正になるようにレンズ絞り量Ｆを算出する。システム制御部５０は、前記算出したレンズの絞り量Ｆとなるようにレンズ用システム制御部４０１と通信を行い絞り制御を行う。処理をステップＳ１１８へ移行する。
【００５３】
ステップＳ１１８では、露光したデータの読み出し処理の完了を待つ。ステップＳ１１４で行った撮影処理において、システム制御部５０は、露光により撮像部２２に蓄積された光信号から変換されたデジタルデータを読み出し、処理の完了を待つ。処理をステップＳ１１９へ移行する。
【００５４】
ステップＳ１１９では、撮影待機状態に復帰するため、撮像部２２を低速間引き読み出し駆動に切り替えてライブビュー表示を開始する。ステップＳ１１４で走行した後幕シャッターをオープンして、表示部２８にライブビュー表示を出力するための処理を行う。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。ライブビュー表示を開始する。処理をステップＳ１２０へ移行する。
【００５５】
ステップＳ１２０では、所定の周期で測光値を取得する。ステップＳ１０５と同様に。ステム制御部５０は画像制御部２４に対して測光値を要求する。画像制御部２４は撮像部２２にレンズ４０２を介して入光する光量により所定の演算処理を行い測光値Bvを取得しシステム制御部５０へ測光値を送信する。処理を終了して撮影待機状態に遷移する。
【００５６】
ステップＳ１２１では、露光したデータの読み出し処理の完了を待つ。ステップＳ１１８と同様に、ステップＳ１１４で行った撮影処理において、システム制御部５０は、露光により撮像部２２に蓄積された光信号から変換されたデジタルデータを読み出し、処理の完了を待つ。処理をステップＳ１２２へ移行する。
【００５７】
ステップＳ１２２では、その後、再撮影のためのＡＦ動作を行うために、撮像部２２を高速間引き読み出し駆動に切り替えてライブビュー表示を開始する。ステップＳ１１９と同様に、ステップＳ１０５で走行した後幕シャッターをオープンして、表示部２８にライブビュー表示を出力するための処理を行う。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。ライブビュー表示を開始する。処理をステップＳ１２３へ移行する。
【００５８】
ステップＳ１２３において、システム制御部５０はＳ１１０と同様のＡＦを行った後、Ｓ１２４にてライブビュー用に絞り羽を駆動する。処理をステップＳ１１２へ移行する。
【００５９】
ここで、先行例として撮影動作の絞りとライブビュー表示およびＡＦ動作との関係について説明する。図５aは、単写撮影後のライブビュー表示を復帰する場合のタイミングチャートである。ライブビュー表示は、レリーズスイッチの全押しを検出すると（Ｔ１）、撮影処理後に撮像センサーからのデータ読み出しを完了した後（Ｔ２）、一度測光処理を行い（Ｔ２〜Ｔ３）その測光結果をもとにライブビュー露出が適切になるようにレンズの絞り制御（Ｔ３〜Ｔ４）を行うまでブラックアウトされる。
【００６０】
次に、図５bは単写撮影動作を繰り返し要求された場合の従来例のタイミングチャートである。レリーズスイッチの半押しを検出するまでの撮影待機状態では、フレームレートが低い、低速間引き読み出しでのライブビュー表示を行うことで、消費電力を低く抑えている。また、このときは、ライブビュー表示に適した絞り制御をおこなっている。
【００６１】
レリーズスイッチの半押しを検出すると（Ｔ１）、それまでの測光結果に基づいて、ＡＦ動作に適した絞り位置である開放位置に絞りを制御すると同時に、ＡＦ動作を高速に行うためにフレームレートが速い高速間引き読み出しに撮像駆動を切り替えてライブビュー表示およびＡＦ動作をおこなう（Ｔ２）。ＡＦ動作が完了すると、再びライブビュー表示に適した絞り制御に復帰する（Ｔ３）。
【００６２】
その後、レリーズスイッチの全押しを検出すると（Ｔ３）、静止画撮像用の撮像駆動に切り替えて撮影動作をおこなう（Ｔ４）。撮影動作が完了すると、低速間引き読み出しでのライブビュー表示を行う待機状態に復帰する（Ｔ５）とともに、ライブビューに適した絞り制御をおこなう（Ｔ６）。
【００６３】
ここで、撮影動作中に次の単写撮影が行われているため、測距性能を上げるためＡＦ動作に適した絞り位置である開放位置に絞りを制御すると同時に、ＡＦ動作を高速に行うためにフレームレートが速い高速間引き読み出しに撮像駆動を切り替えてライブビュー表示およびＡＦ動作をおこなう（Ｔ７）。
【００６４】
ここで、本実施形態における動作を示すタイミングチャートである図６について説明する。図６aは、単写撮影後のライブビュー表示を復帰する場合のタイミングチャートである。ライブビュー表示は、レリーズスイッチの全押しを検出すると（Ｔ１）、撮影処理後に撮像センサーからのデータ読み出しを完了するまで（Ｔ２）ブラックアウトされる。また、ライブビュー用の絞りは、Ｔ１時の最新の測光情報により算出し読み出し中に行う。これにより、先行例に対して(Ｔ４−Ｔ２)の時間を短縮してライブビュー表示を開始できる。
【００６５】
次に、図６bは、単写撮影後に続けてＡＦ動作を要求された場合のタイミングチャートである。読み出し中にＳｗ１判定を行い、レリーズスイッチの半押しを検出した場合は、読み出し中のライブビュー用の絞り制御は行わない。このため、読み出し完了後（Ｔ２）にライブビュー表示開始と合わせてＡＦ動作が開始できる。これにより、先行例に対して(Ｔ７−Ｔ６)の時間を短縮してＡＦ動作を開始できる。
【００６６】
さらに、読み出し中にＳｗ１判定を行い、レリーズスイッチの半押しを検出した場合は、読み出し完了後に、Ｔ２において撮影待機状態用の低速間引き読み出し連続駆動への切り替えは行わず、直接ＡＦ動作用の高速間引き読み出し駆動への切り替えを行うことによって、先行例に対して（Ｔ６−T５）の時間を短縮してＡＦ動作を開始することが可能となる。
【００６７】
以上のように、本実施形態によれば、撮影動作前の測光値を使用することにより、ライブビュー開始前の測光処理時間を省けるため、撮影動作後のライブビュー表示の開始を早くできる。
【００６８】
また、撮影動作後にライブビュー用の絞り処理を行わないようにすることにより、次の測距動作の開始を早めることができる。
【００６９】
また、撮影動作後に、撮影待機ライブビュー用の撮像駆動切り替えを行わないようにすることにより、さらに次の測距動作開始を早めることができる。
【００７０】
さらに、撮影者の操作に応じて、適切な露出となるライブビューを出力するか、素早く測距動作を開始するかを切り替えるため、操作性が向上できる。
【００７１】
（第２の実施形態）
第２の実施形態では、連写動作終了後において、撮影後のレリーズボタンの押下状態を判定して、ライブビュー表示するときと測距動作するときとでレンズの絞り羽の制御方法を切り替える例を述べる。
【００７２】
図４は、本実施形態における連写動作終了後の撮影待機状態へ戻る時の測光動作する処理とレンズの絞り羽を制御する処理のフローチャートである。このフローチャートにおける各処理は、システム制御部５０が不揮発性メモリ５６に格納されたプログラムをシステムメモリ５２に展開して実行することにより実現される。
【００７３】
ステップＳ２０１では、所定の周期で測光値を取得する。システム制御部５０は画像制御部２４に対して測光値を要求する。画像制御部２４は撮像部２２にレンズ４０２を介して入光する光量により所定の演算処理を行い測光値Bvを取得しシステム制御部５０へ測光値を送信する。処理をステップＳ２０２へ移行する。
【００７４】
ステップＳ２０２では、適正な露出のライブビュー表示を行うためにレンズの絞り制御を行う。システム制御部５０は、ステップＳ２０１で取得した測光値ＢｖによりＬＶ露出が適正になるようにレンズ絞り量Ｆを算出する。システム制御部５０は、前記算出したレンズの絞り量Ｆとなるようにレンズ用システム制御部４０１と通信を行い絞り羽の絞り制御を行う。処理をステップＳ２０３へ移行する。
【００７５】
ここで、レンズの絞り量Ｆについて述べる。撮像素子２２を用いて測光をおこなうデジタルカメラ１００は、撮影待機状態であるライブビュー表示中において、外光の明るさに応じてレンズ４０２の絞り羽を開閉して光量を調節する。つまり、外光が明るい場合にはレンズの絞り羽を閉じるように制御する（この時の絞り量Ｆ値は大きい）。逆に外光が暗い場合にはレンズの絞り羽を開くように制御する（この時の絞り量Ｆ値は小さい）。
【００７６】
ステップＳ２０３では、レリーズスイッチ操作による撮影開始要求の有無を判定する。システム制御部５０は、第２シャッタースイッチ６４の信号検出いわゆるレリーズスイッチの全押し検出を行う。レリーズスイッチの全押しを検出すると、処理をステップＳ２０４へ移行する。
【００７７】
ステップＳ２０４では、撮影用の絞り羽の絞り制御を行う。ステップＳ２０１で取得した最新の測光値により露出演算を行い、撮影時の絞り値Ｆを決定する。システム制御部５０は、前記撮影時の絞り値Ｆをレンズ用システム制御部４０１に送信して、レンズの絞り羽が前記絞り値Ｆとなるように制御する。処理をステップＳ２０５へ移行する。
【００７８】
ステップＳ２０５では、システム制御部５０は、ステップＳ２０４で算出した露出値により決定されたシャッター秒時Ｔｖに応じて電子先幕シャッターと後幕シャッターを走行させる。またシステム制御部５０は、前記露出値から決定されたＩＳＯ感度で撮像部２２が動作するように制御する。処理をステップＳ２０６へ移行する。
【００７９】
ステップＳ２０６では、システム制御部５０は、ステップＳ２０４で絞った絞り羽を最小絞り値になるように開くため、レンズ用システム制御部４０１と通信を行い絞り制御を行う。処理をステップＳ２１６へ移行する。
【００８０】
ステップＳ２１６では、連写設定の判定を行う。システム制御部５０は、システムメモリ５２に記憶されている連写設定情報を取得し、連写動作を行う撮影かどうかを判定する。連写設定と判定した場合は、処理をステップＳ２１７へ移行する。単写設定と判定した場合は、処理をステップＳ２０７へ移行する。
【００８１】
ステップＳ２０７では、レリーズスイッチの押下状態を判定する。システム制御部５０は、第１シャッタースイッチ６４の信号検出いわゆるレリーズスイッチの半押し検出を行う。レリーズスイッチの半押しを検出すると、処理をステップＳ２１２へ移行する。レリーズスイッチの半押しが検出されなかった場合は、処理をステップＳ２０８へ移行する。
【００８２】
ステップＳ２０８では、適正な露出のライブビュー表示を行うためにレンズの絞り制御を行う。ステップＳ２０２と同様に、システム制御部５０は、ステップＳ２０１で取得した最新の測光値ＢｖによりＬＶ露出が適正になるようにレンズ絞り量Ｆを算出する。システム制御部５０は、前記算出したレンズの絞り量Ｆとなるようにレンズ用システム制御部４０１と通信を行い絞り制御を行う。処理をステップＳ２０９へ移行する。
【００８３】
ステップＳ２０９では、露光したデータの読み出し処理の完了を待つ。ステップＳ２０５で行った撮影処理において、システム制御部５０は、露光により撮像部２２に蓄積された光信号から変換されたデジタルデータを読み出し、処理の完了を待つ。処理をステップＳ２１０へ移行する。
【００８４】
ステップＳ２１０では、ライブビュー表示を開始する。ステップＳ２０５で走行した後幕シャッターをオープンして、表示部２８にライブビュー表示を出力するための処理を行う。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。ライブビュー表示を開始する。処理をステップＳ２１１へ移行する。
【００８５】
ステップＳ２１１では、所定の周期で測光値を取得する。ステップＳ２０１と同様に。ステム制御部５０は画像制御部２４に対して測光値を要求する。画像制御部２４は撮像部２２にレンズ４０２を介して入光する光量により所定の演算処理を行い測光値Bvを取得しシステム制御部５０へ測光値を送信する。処理を終了して撮影待機状態に遷移する。
【００８６】
ステップＳ２１２では、露光したデータの読み出し処理の完了を待つ。ステップＳ２０９と同様に、ステップＳ２０５で行った撮影処理において、システム制御部５０は、露光により撮像部２２に蓄積された光信号から変換されたデジタルデータを読み出し、処理の完了を待つ。処理をステップＳ２１０へ移行する。
【００８７】
ステップＳ２１３では、ライブビュー表示を開始する。ステップＳ２１０と同様に、ステップＳ２０５で走行した後幕シャッターをオープンして、表示部２８にライブビュー表示を出力するための処理を行う。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。ライブビュー表示を開始する。処理をステップＳ２１１へ移行する。
【００８８】
ステップＳ２１４では、測距動作を行う。システム制御部５０は、画像処理部２４に対して、測距用の画像データを要求して主被写体との距離を算出する。システム制御部５０は、レンズ用システム制御部４０１に対して、前記距離に基づいてフォーカスレンズの駆動を要求する。処理をステップＳ２１５へ移行する。
【００８９】
ステップＳ２１５では、測距動作の完了を待つ。システム制御部５０は、レンズ用システム制御部４０１からのフォーカスレンズの駆動完了通知を受信して、測距動作を完了する。処理をステップＳ２１１へ移行する。
【００９０】
ステップＳ２１７では、レリーズスイッチの押下状態を判定する。システム制御部５０は、第１シャッタースイッチ６４の信号検出いわゆるレリーズスイッチの全押し検出を行う。レリーズスイッチの全押しを検出すると、処理をステップＳ２０４へ移行する。レリーズスイッチの全押しが検出されなかった場合は、処理をステップＳ２１８へ移行する。
【００９１】
ステップＳ２１８では、露光したデータの読み出し処理の完了を待つ。ステップＳ２０９と同様に、ステップＳ２０５で行った撮影処理において、システム制御部５０は、露光により撮像部２２に蓄積された光信号から変換されたデジタルデータを読み出し、処理の完了を待つ。処理をステップＳ２１９へ移行する。
【００９２】
ステップＳ２１９では、測光処理を行う。システム制御部５０は画像制御部２４に対して測光値を要求する。画像制御部２４は撮像部２２にレンズ４０２を介して入光する光量により所定の演算処理を行い測光値Bvを取得しシステム制御部５０へ測光値を送信する。処理をステップＳ２２０へ移行する。
【００９３】
ステップＳ２２０では、レリーズスイッチの押下状態を判定する。システム制御部５０は、第１シャッタースイッチ６４の信号検出いわゆるレリーズスイッチの半押し検出を行う。レリーズスイッチの半押しを検出すると、処理をステップＳ２２３へ移行する。レリーズスイッチの半押しが検出されなかった場合は、処理をステップＳ２２１へ移行する。
【００９４】
ステップＳ２２１では、適正な露出のライブビュー表示を行うためにレンズの絞り制御を行う。システム制御部５０は、ステップＳ２１９で取得した最新の測光値ＢｖによりＬＶ露出が適正になるようにレンズ絞り量Ｆを算出する。システム制御部５０は、前記算出したレンズの絞り量Ｆとなるようにレンズ用システム制御部４０１と通信を行い絞り制御を行う。処理をステップＳ２２２へ移行する。
【００９５】
ステップＳ２２２では、ライブビュー表示を開始する。ステップＳ２０５で走行した後幕シャッターをオープンして、表示部２８にライブビュー表示を出力するための処理を行う。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。ライブビュー表示を開始する。処理をステップＳ２１１へ移行する。
【００９６】
ステップＳ２２３では、ライブビュー表示を開始する。ステップＳ２０５で走行した後幕シャッターをオープンして、表示部２８にライブビュー表示を出力するための処理を行う。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。ライブビュー表示を開始する。処理をステップＳ２２４へ移行する。
【００９７】
ステップＳ２２４では、測距動作を行う。まず測距用の露出制御を行う。ステップＳ２１９で取得した測光値Ｂｖにより、測距処理に最適な露出となるように制御する。その後、システム制御部５０は、画像処理部２４に対して、測距用の画像データを要求して主被写体との距離を算出する。システム制御部５０は、レンズ用システム制御部４０１に対して、前記距離に基づいてフォーカスレンズの駆動を要求する。処理をステップＳ２２５へ移行する。
【００９８】
ステップＳ２２５では、測距動作の完了を待つ。システム制御部５０は、レンズ用システム制御部４０１からのフォーカスレンズの駆動完了通知を受信して、測距動作を完了する。処理をステップＳ２１１へ移行する。
【００９９】
以上のように、本実施形態によれば、連写動作後のライブビュー表示において、ライブビュー開始前に測光処理を行うことで適切な露出のライブビュー表示をすることができる。
また、連写動作後の次の測距動作を行う場合は、ライブビュー用の絞り処理を行わないようにすることで測距動作の開始を早めることができる。
【０１００】
また、撮影者の操作あるいは設定に応じて、適切な露出となるライブビューを出力するか、素早く測距動作を開始するかを切り替えるため、操作性が向上できる。
【０１０１】
以上説明したように、本発明によれば、撮影後のライブビュー表示までの時間を短縮できる。また、撮影後の測距動作の開始を早めることができる。また、ユーザの設定や操作に応じて、適切な露出のライブビュー表示や素早い測距動作の開始を実現できる。
【０１０２】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。
【０１０３】
この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１０４】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施形態の機能が実現される場合も含まれている。
【０１０５】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【符号の説明】
【０１０６】
１３    Ｄ／Ａ変換器
１５    メモリ制御部
１８    記録媒体Ｉ／Ｆ
２２    撮像部
２３    Ａ／Ｄ変換器
２４    画像処理部
２８    表示部
３０    電源部
３２    メモリ
３３    ストロボＩ／Ｆ
３４    レンズＩ／Ｆ
５０    システム制御部
５２    システムタイマー
５３    システムメモリ
５６    不揮発性メモリ
５７    バックアップメモリ
６０    モード切り替えスイッチ
６１    撮影ボタン
７０    操作部
７２    電源スイッチ
７３    コントローラホイール
８０    電源制御部
９０    センサー部
１００  デジタルビデオカメラ
１１１  接続ケーブル
１１２  コネクタ
２００  記録媒体
２０１  記録媒体スロット
２０２  蓋
３００  ストロボ装置
３０１  ストロボ用システム制御部
３０４  発光部
４００  レンズ装置
４０１  レンズ用システム制御部
【図１】
2018033061.tif 000003
【図２】
2018033061.tif 000004
【図３】
2018033061.tif 000005
【図４】
2018033061.tif 000006
【図５】
2018033061.tif 000007
【図６】
2018033061.tif 000008